(57)【要約】【課題】三者通話のように複数の移動端末が同じ相手先と通信を行う場合、既存の移動体システムにおいては、それぞれの移動端末に対して制御チャネルの確保や音声及びパケット送受信の為の通信チャネルの確保が必要になる。【解決手段】移動端末同士が近隣にグループを構成し、複数の移動端末が擬似的に１台の端末のように基地局と音声及びパケットの送受信をし、基地局より上位の装置において、１移動端末分の無線リソース制御チャネルを確保するだけで通信が可能になる。【選択図】        図１
2004179981.tif 000002
【特許請求の範囲】
【請求項１】
基地局及び移動端末とを有するシステムであって、
前記基地局は、
前記移動端末と通信する手段と、
前記移動端末を呼び出す手段と、
通信を制御する手段と、
相手端末へ通信回線を接続する手段と、
ネットワークに加入している端末の情報を保持する手段とを有し、
前記移動端末は、
前記基地局と通信を行う手段と、
他の移動端末と通信する手段と、
他の複数の移動端末と同時に通信する通信インターフェース化手段と、
音声を合成する音声合成手段と、
パケットの合成を行うパケット合成手段と、
前記音声及びパケットのデータを記憶するデータ記憶手段と、
前記音声及びパケットの入力を行う入力手段と、
前記音声及びパケットの出力を行う出力手段と、
前記音声及びパケットの分離や計算を行うデータ処理手段と、
全体を制御する制御手段と、
自身に電力を供給する電力供給手段とを有することを特徴とする共同通信システム。
【請求項２】
前記通信インターフェース化手段は、
複数の移動端末がグループを構成するグループ構成手段と、
前記グループと前記基地局間及び前記グループ間で通信を行う通信手段と、
前記グループを解散するグループ解除手段とを有する請求項１記載の共同通信システム。
【請求項３】
前記グループ構成手段は、
親となる移動端末が子となる移動端末にグループを形成するための信号を送信する手段と、
前記子となる移動端末が前記親となる移動端末に前記グループに参加する意思を伝えるための信号を送信する手段と、
前記親となる移動端末が前記子となる移動端末に前記グループに参加する許可を与える信号を送信する手段と、
前記親となる移動端末が前記子となる移動端末に前記グループで使用するチャネルを割り当てる手段とを有する請求項２記載の共同通信システム。
【請求項４】
前記通信手段は、
発信接続を行う発信接続手段と、
着信接続を行う着信接続手段と、
接続を切断する終話手段とを有する請求項２記載の共同通信システム。
【請求項５】
前記発信接続手段は、
前記親となる移動端末から通信相手の情報を発信する手段と、
前記親となる移動端末の認証を行う手段と、
移動端末のグループが使用するチャネルを設定する手段と、
前記移動端末のグループに前記通信相手を呼び出していることを知らせる手段と、
前記親となる移動端末に前記通信相手からの応答を伝える手段と、
前記親となる移動端末がグループに属する移動端末に通信を行う許可を与える手段とを有する請求項４記載の共同通信システム。
【請求項６】
前記着信接続手段は、
前記親となる移動端末を探す手段と、
前記親となる移動端末の認証を行う手段と、
移動端末のグループが使用するチャネルを設定する手段と、
前記親となる移動端末に通信相手の情報を送信する手段と、
前記親となる移動端末の呼び出しを行っていることを知らせる手段と、
前記親となる移動端末が応答する手段と、
前記親となる移動端末がグループに属する移動端末に通信を行う許可を与える手段とを有する請求項４記載の共同通信システム。
【請求項７】
前記終話手段は、
前記親機が通信の切断を要求する手段と、
通信の切断を確認する手段と、
使用していたチャネルを閉じる手段と、
チャネルを閉じたことを確認する手段とを有する請求項４記載の共同通信システム。
【請求項８】
前記グループ解除手段は、
親となる移動端末がグループ内の移動端末にグループを解放するための手段と、
子となる移動端末が前記親となる移動端末にグループ解放を完了した旨を伝える手段と、
前記親となる移動端末が前記子となる移動端末にグループで使用したチャネルを切断するための手段と、
前記子となる移動端末が前記親となる移動端末にグループで使用したチャネルを切断した旨を伝える手段とを有する請求項２記載の共同通信システム。
【請求項９】
基地局と通信を行う手段と、
他の移動端末と通信する手段と、
他の複数の移動端末と同時に通信する通信インターフェース化手段と、
音声を合成する音声合成手段と、
パケットの合成を行うパケット合成手段と、
前記音声及びパケットのデータを記憶するデータ記憶手段と、
前記音声及びパケットの入力を行う入力手段と、
前記音声及びパケットの出力を行う出力手段と、
前記音声及びパケットの分離や計算を行うデータ処理手段と、
全体を制御する制御手段と、
自身に電力を供給する電力供給手段とを有することを特徴とする移動端末。
【請求項１０】
前記通信インターフェース化手段は、
複数の移動端末がグループを構成するグループ構成手段と、
前記グループと前記基地局間及び前記グループ間で通信を行う通信手段と、
前記グループを解散するグループ解除手段とを有する請求項９記載の移動端末。
【請求項１１】
前記グループ構成手段は、
親となる移動端末が子となる移動端末にグループを形成するための信号を送信する手段と、
前記子となる移動端末が前記親となる移動端末に前記グループに参加する意思を伝えるための信号を送信する手段と、
前記親となる移動端末が前記子となる移動端末に前記グループに参加する許可を与える信号を送信する手段と、
前記親となる移動端末が前記子となる移動端末に前記グループで使用するチャネルを割り当てる手段とを有する請求項１０記載の移動端末。
【請求項１２】
前記通信手段は、
発信接続を行う発信接続手段と、
着信接続を行う着信接続手段と、
接続を切断する終話手段とを有する請求項１１記載の移動端末。
【請求項１３】
前記発信接続手段は、
前記親となる移動端末から通信相手の情報を発信する手段と、
前記親となる移動端末の認証を行う手段と、
移動端末のグループが使用するチャネルを設定する手段と、
前記移動端末のグループに前記通信相手を呼び出していることを知らせる手段と、
前記親となる移動端末に前記通信相手からの応答を伝える手段と、
前記親となる移動端末がグループに属する移動端末に通信を行う許可を与える手段とを有する請求項１２記載の移動端末。
【請求項１４】
前記着信接続手段は、
前記親となる移動端末を探す手段と、
前記親となる移動端末の認証を行う手段と、
移動端末のグループが使用するチャネルを設定する手段と、
前記親となる移動端末が通信相手の情報を受信する手段と、
前記親となる移動端末の呼び出しを行っていることを知らせる手段と、
前記親となる移動端末が応答する手段と、
前記親となる移動端末がグループに属する移動端末に通信を行う許可を与える手段とを有する請求項１２記載の移動端末。
【請求項１５】
前記終話手段は、
前記親機が通信の切断を要求する手段と、
通信の切断を確認する手段と、
使用していたチャネルを閉じる手段と、
チャネルを閉じたことを確認する手段とを有する請求項１２記載の移動端末。
【請求項１６】
前記グループ解除手段は、
親となる移動端末がグループ内の移動端末にグループを解放するための手段と、
子となる移動端末が前記親となる移動端末にグループ解放を完了した旨を伝える手段と、
前記親となる移動端末が前記子となる移動端末にグループで使用したチャネルを切断するための手段と、
前記子となる移動端末が前記親となる移動端末にグループで使用したチャネルを切断した旨を伝える手段とを有する請求項１０記載の移動端末。
【請求項１７】
複数の移動端末がグループを構成するグループ構成ステップと、
前記グループと基地局間及び前記グループ間において通信を行う通信ステップと、
前記グループを解散するグループ解除ステップとを有することを特徴とする共同通信方法。
【請求項１８】
前記グループ構成ステップは、
親となる移動端末が子となる移動端末にグループを形成するための信号を送信するステップと、
前記子となる移動端末が前記親となる移動端末に前記グループに参加する意思を伝えるための信号を送信するステップと、
前記親となる移動端末が前記子となる移動端末に前記グループに参加する許可を与える信号を送信するステップと、
前記親となる移動端末が前記子となる移動端末に前記グループで使用するチャネルを割り当てるステップとを有する請求項１７記載の共同通信方法。
【請求項１９】
前記通信ステップは、
発信接続を行う発信接続ステップと、
着信接続を行う着信接続ステップと、
接続を切断する終話ステップとを有する請求項１７記載の共同通信方法。
【請求項２０】
前記通信ステップは、
着信接続を行う着信接続ステップと、
発信接続を行う発信接続ステップと、
接続を切断する終話ステップとを有する請求項１７記載の共同通信方法。
【請求項２１】
前記発信接続ステップは、
前記親となる移動端末から通信相手の情報を発信するステップと、
前記親となる移動端末の認証を行うステップと、
移動端末のグループが使用するチャネルを設定するステップと、
前記移動端末のグループに前記通信相手を呼び出していることを知らせるステップと、
前記親となる移動端末に前記通信相手からの応答を伝えるステップと、
前記親となる移動端末がグループに属する移動端末に通信を行う許可を与えるステップとを有する請求項１９又は２０記載の共同通信方法。
【請求項２２】
前記着信接続ステップは、
前記親となる移動端末を探すステップと、
前記親となる移動端末の認証を行うステップと、
移動端末のグループが使用するチャネルを設定するステップと、
前記親となる移動端末が通信相手の情報を受信するステップと、
前記親となる移動端末の呼び出しを行っていることを知らせるステップと、
前記親となる移動端末が応答するステップと、
前記親となる移動端末がグループに属する移動端末に通信を行う許可を与えるステップとを有する請求項１９又は２０記載の共同通信方法。
【請求項２３】
前記終話ステップは、
前記親機が通信の切断を要求するステップと、
通信の切断を確認するステップと、
使用していたチャネルを閉じるステップと、
チャネルを閉じたことを確認するステップとを有する請求項１９又は２０記載の共同通信方法。
【請求項２４】
前記グループ解除ステップは、
親となる移動端末がグループ内の移動端末にグループを解放するための信号を送信するステップと、
子となる移動端末が前記親となる移動端末にグループ解放を完了した旨を伝える信号を送信するステップと、
前記親となる移動端末が前記子となる移動端末にグループで使用したチャネルを切断するための信号を送信するステップと、
前記子となる移動端末が前記親となる移動端末にグループで使用したチャネルを切断した旨を伝える信号を送信するステップとを有する請求項１７記載の共同通信方法。
【請求項２５】
コンピュータに、
複数の移動端末がグループを構成するグループ構成処理と、
前記グループと基地局間及び前記グループ間において通信を行う通信処理と、
前記グループを解散するグループ解除処理とを実行させるための共同通信プログラム。
【請求項２６】
前記グループ構成処理は、
親となる移動端末が子となる移動端末にグループを形成するための信号を送信する処理と、
前記子となる移動端末が前記親となる移動端末にグループに参加する意思を伝えるための信号を送信する処理と、
前記親となる移動端末が前記子となる移動端末にグループに参加する許可を与える信号を送信する処理と、
前記親となる移動端末が前記子となる移動端末にグループで使用するチャネルを割り当てる処理とを有する請求項２５記載の共同通信プログラム。
【請求項２７】
前記通信処理は、
発信接続を行う発信接続処理と、
着信接続を行う着信接続処理と、
接続を切断する終話処理とを有する請求項２５記載の共同通信プログラム。
【請求項２８】
前記発信接続処理は、
前記親となる移動端末から通信相手の情報を発信する処理と、
前記親となる移動端末の認証を行う処理と、
移動端末のグループが使用するチャネルを設定する処理と、
前記移動端末のグループに前記通信相手を呼び出していることを知らせる処理と、
前記親となる移動端末に前記通信相手からの応答を伝える処理と、
前記親となる移動端末がグループに属する移動端末に通信を行う許可を与える処理とを有する請求項２７記載の共同通信プログラム。
【請求項２９】
前記着信接続処理は、
前記親となる移動端末を探す処理と、
前記親となる移動端末の認証を行う処理と、
移動端末のグループが使用するチャネルを設定する処理と、
前記親となる移動端末が通信相手の情報を受信する処理と、
前記親となる移動端末の呼び出しを行っていることを知らせる処理と、
前記親となる移動端末が応答する処理と、
前記親となる移動端末がグループに属する移動端末に通信を行う許可を与える処理とを有する請求項２７記載の共同通信プログラム。
【請求項３０】
前記終話処理は、
前記親機が通信の切断を要求する処理と、
通信の切断を確認する処理と、
使用していたチャネルを閉じる処理と、
チャネルを閉じたことを確認する処理とを有する請求項２７記載の共同通信プログラム。
【請求項３１】
前記グループ解除処理は、
親となる移動端末がグループ内の移動端末にグループを解放するための信号を送信する処理と、
子となる移動端末が前記親となる移動端末にグループ解放を完了した旨を伝える信号を送信する処理と、
前記親となる移動端末が前記子となる移動端末にグループで使用したチャネルを切断するための信号を送信する処理と、
前記子となる移動端末が前記親となる移動端末にグループで使用したチャネルを切断した旨を伝える信号を送信する処理とを有する請求項２５記載の共同通信プログラム。
【発明の詳細な説明】
【０００１】
【発明の属する技術分野】
本発明は、複数の移動端末でグループを形成し、代表となる移動端末が基地局との通信インターフェースとなり、無線リソースの利用において、基地局と複数の移動端末が１対１で通信を行っている場合と同等の効果を有する共同通信システム、移動端末、共同通信方法及びプログラムに関する。
【０００２】
【従来の技術】
携帯電話に用いられているプロトコル構造の例として、図１２にＷ−ＣＤＭＡのプロトコル構造を示す。
Ｗ−ＣＤＭＡにおけるプロトコル構成は、ネットワーク層の無線リソース制御（ＲＲＣ）プロトコル１２１、データリンク層の無線リンク制御（ＲＬＣ）副層１２２とメディア・アクセス制御（ＭＡＣ）副層１２３、及び物理層の物理チャネル１２４からなる。
ＲＲＣ１２１はネットワークと移動端末を接続するなどの働きをする。
ＲＬＣ副層１２２はエラー訂正やフロー制御、プロトコルエラー検出等を行う。
ＭＡＣ副層１２３はＲＬＣ副層１２２に対して、データ送信サービスである論理チャネル１２５を提供し、論理チャネルとトランスポートチャネルとの間のマッピング等を行う。
物理層１２４はＭＡＣ副層１２３に対して、使用する物理チャネルの特性を定めるトランスポートチャネル１２６を提供し、物理チャネルとトランスポートチャネルとの間のマッピング等を行う。
【０００３】
呼制御の例として、ＩＴＵ−Ｔ  Ｑ．９３１に規定されている接続制御用メッセージを用いた回線接続シーケンスを図１３に示す。
発信側の端末は、呼設定を交換機へ送る。呼設定は通信相手の電話番号などの情報を有する。
交換機は呼設定を受け取ると、発信側の端末へ呼設定受付を送信し、着信側の端末には呼設定を送る。
着信側の端末は呼出音を鳴動させ、呼出を行っていることを示すメッセージを交換機に送る。交換機はこれを発信側の端末へ送信する。発信側の端末ではこれを受信するとリングバックトーンが聞こえる。
着信側の端末で応答があると、交換機はこれを発信側の端末へ送り、着信側の端末へ応答確認を送って回線を接続する。
【０００４】
通信が終わると、発信側の端末から回線の切断を交換機に伝え、交換機はこれを着信側の端末に伝えると共に、発信側の端末へ回線の解放を知らせる。
発信側の端末は、回線の解放が完了したことを交換機に伝える。着信側の端末は、回線の切断を受けて、回線を解放し、交換機は解放したことが完了したことを着信側の端末に伝える。
【０００５】
以下、本発明の内容に関連する文献を挙げる。
＜複数の電波を使い分ける例＞
特許文献１では電話回線に接続された電話機（親機）と、これと無線通信を行う子機とからなる通信装置において、親機―子機間と子機―子機間とで使用する送信電力や周波数などを使い分ける方法を提供する。
【０００６】
＜子機間で無線通信を行う例＞
特許文献２では無線通信が可能な複数の子機を有する電話装置において、子機間の通信は有線と無線の両回線を使用でき、電界強度の増減によって、無線通信から有線通信へ切り換えを行い、通話が途切れない方法を提示する。
【０００７】
【特許文献１】
特開平０１−２２０９２１号公報
【特許文献２】
特開平０７−０５９１４４号公報
【０００８】
【発明が解決しようとする課題】
従来の移動体通信システムにおいては、複数の移動端末が同一の相手端末に通信をする場合、各々の移動端末は基地局より上位の装置と移動端末間において通信経路を確保する必要があった。そのため基地局より上位の装置では、個々の端末に対して重複する制御を実行しなければならないという問題があった。
また、相手端末より発信元に対して送られる下り音声及びパケットは、各々の端末へ個別に供給される必要があるため、相手端末と移動端末間に移動端末分のリソースが必要となってしまう問題点がある。
【０００９】
本発明は上記の問題を解決するために、移動端末にグループを形成させ、あたかも１台の端末のように振舞わせることにより、通信に必要な通信ＣＨを減らす手段を提供することを目的とする。
【００１０】
【課題を解決するための手段】
以上の問題点を解決する為に、請求項１記載の発明である共同通信システムは、基地局及び移動端末とを有するシステムであって、上記基地局は、上記移動端末と通信する手段と、上記移動端末を呼び出す手段と、通信を制御する手段と、相手端末へ通信回線を接続する手段と、ネットワークに加入している端末の情報を保持する手段とを有し、上記移動端末は、上記基地局と通信を行う手段と、他の移動端末と通信する手段と、他の複数の移動端末と同時に通信する通信インターフェース化手段と、音声を合成する音声合成手段と、パケットの合成を行うパケット合成手段と、上記音声及びパケットのデータを記憶するデータ記憶手段と、上記音声及びパケットの入力を行う入力手段と、上記音声及びパケットの出力を行う出力手段と、上記音声及びパケットの分離や計算を行うデータ処理手段と、全体を制御する制御手段と、自身に電力を供給する電力供給手段とを有することを特徴とする。
【００１１】
請求項２記載の発明は、請求項１記載の共同通信システムであって、上記通信インターフェース化手段は、複数の移動端末がグループを構成するグループ構成手段と、上記グループと上記基地局間及び上記グループ間で通信を行う通信手段と、上記グループを解散するグループ解除手段とを有することを特徴とする。
【００１２】
請求項３記載の発明は、請求項２記載の共同通信システムであって、上記グループ構成手段は、親となる移動端末が子となる移動端末にグループを形成するための信号を送信する手段と、上記子となる移動端末が上記親となる移動端末に上記グループに参加する意思を伝えるための信号を送信する手段と、上記親となる移動端末が上記子となる移動端末に上記グループに参加する許可を与える信号を送信する手段と、上記親となる移動端末が上記子となる移動端末に上記グループで使用するチャネルを割り当てる手段とを有することを特徴とする。
【００１３】
請求項４記載の発明は、請求項２記載の共同通信システムであって、上記通信手段は、発信接続を行う発信接続手段と、着信接続を行う着信接続手段と、接続を切断する終話手段とを有することを特徴とする。
【００１４】
請求項５記載の発明は、請求項４記載の共同通信システムであって、上記発信接続手段は、上記親となる移動端末から通信相手の情報を発信する手段と、上記親となる移動端末の認証を行う手段と、移動端末のグループが使用するチャネルを設定する手段と、上記移動端末のグループに上記通信相手を呼び出していることを知らせる手段と、上記親となる移動端末に上記通信相手からの応答を伝える手段と、上記親となる移動端末がグループに属する移動端末に通信を行う許可を与える手段とを有することを特徴とする。
【００１５】
請求項６記載の発明は、請求項４記載の共同通信システムであって、上記着信接続手段は、上記親となる移動端末を探す手段と、上記親となる移動端末の認証を行う手段と、移動端末のグループが使用するチャネルを設定する手段と、上記親となる移動端末に通信相手の情報を送信する手段と、上記親となる移動端末の呼び出しを行っていることを知らせる手段と、上記親となる移動端末が応答する手段と、上記親となる移動端末がグループに属する移動端末に通信を行う許可を与える手段とを有することを特徴とする。
【００１６】
請求項７記載の発明は、請求項４記載の共同通信システムであって、上記終話手段は、上記親機が通信の切断を要求する手段と、通信の切断を確認する手段と、使用していたチャネルを閉じる手段と、チャネルを閉じたことを確認する手段とを有することを特徴とする。
【００１７】
請求項８記載の発明は、請求項２記載の共同通信システムであって、上記グループ解除手段は、親となる移動端末がグループ内の移動端末にグループを解放するための手段と、子となる移動端末が上記親となる移動端末にグループ解放を完了した旨を伝える手段と、上記親となる移動端末が上記子となる移動端末にグループで使用したチャネルを切断するための手段と、上記子となる移動端末が上記親となる移動端末にグループで使用したチャネルを切断した旨を伝える手段とを有することを特徴とする。
【００１８】
請求項９記載の発明である移動端末は、基地局と通信を行う手段と、他の移動端末と通信する手段と、他の複数の移動端末と同時に通信する通信インターフェース化手段と、音声を合成する音声合成手段と、パケットの合成を行うパケット合成手段と、上記音声及びパケットのデータを記憶するデータ記憶手段と、上記音声及びパケットの入力を行う入力手段と、上記音声及びパケットの出力を行う出力手段と、上記音声及びパケットの分離や計算を行うデータ処理手段と、全体を制御する制御手段と、自身に電力を供給する電力供給手段とを有することを特徴とする。
【００１９】
請求項１０記載の発明は、請求項９記載の移動端末であって、上記通信インターフェース化手段は、複数の移動端末がグループを構成するグループ構成手段と、上記グループと上記基地局間及び上記グループ間で通信を行う通信手段と、上記グループを解散するグループ解除手段とを有することを特徴とする。
【００２０】
請求項１１記載の発明は、請求項１０記載の移動端末であって、上記グループ構成手段は、親となる移動端末が子となる移動端末にグループを形成するための信号を送信する手段と、上記子となる移動端末が上記親となる移動端末に上記グループに参加する意思を伝えるための信号を送信する手段と、上記親となる移動端末が上記子となる移動端末に上記グループに参加する許可を与える信号を送信する手段と、上記親となる移動端末が上記子となる移動端末に上記グループで使用するチャネルを割り当てる手段とを有することを特徴とする。
【００２１】
請求項１２記載の発明は、請求項１１記載の移動端末であって、上記通信手段は、発信接続を行う発信接続手段と、着信接続を行う着信接続手段と、接続を切断する終話手段とを有することを特徴とする。
【００２２】
請求項１３記載の発明は、請求項１２記載の移動端末であって、上記発信接続手段は、上記親となる移動端末から通信相手の情報を発信する手段と、上記親となる移動端末の認証を行う手段と、移動端末のグループが使用するチャネルを設定する手段と、上記移動端末のグループに上記通信相手を呼び出していることを知らせる手段と、上記親となる移動端末に上記通信相手からの応答を伝える手段と、上記親となる移動端末がグループに属する移動端末に通信を行う許可を与える手段とを有することを特徴とする。
【００２３】
請求項１４記載の発明は、請求項１２記載の移動端末であって、上記着信接続手段は、上記親となる移動端末を探す手段と、上記親となる移動端末の認証を行う手段と、移動端末のグループが使用するチャネルを設定する手段と、上記親となる移動端末が通信相手の情報を受信する手段と、上記親となる移動端末の呼び出しを行っていることを知らせる手段と、上記親となる移動端末が応答する手段と、上記親となる移動端末がグループに属する移動端末に通信を行う許可を与える手段とを有することを特徴とする。
【００２４】
請求項１５記載の発明は、請求項１２記載の移動端末であって、上記終話手段は、上記親機が通信の切断を要求する手段と、通信の切断を確認する手段と、使用していたチャネルを閉じる手段と、チャネルを閉じたことを確認する手段とを有することを特徴とする。
【００２５】
請求項１６記載の発明は、請求項１０記載の移動端末であって、上記グループ解除手段は、親となる移動端末がグループ内の移動端末にグループを解放するための手段と、子となる移動端末が上記親となる移動端末にグループ解放を完了した旨を伝える手段と、上記親となる移動端末が上記子となる移動端末にグループで使用したチャネルを切断するための手段と、上記子となる移動端末が上記親となる移動端末にグループで使用したチャネルを切断した旨を伝える手段とを有することを特徴とする。
【００２６】
請求項１７記載の発明である共同通信方法は、複数の移動端末がグループを構成するグループ構成ステップと、上記グループと基地局間及び上記グループ間において通信を行う通信ステップと、上記グループを解散するグループ解除ステップとを有することを特徴とする。
【００２７】
請求項１８記載の発明は、請求項１７記載の共同通信方法であって、上記グループ構成ステップは、親となる移動端末が子となる移動端末にグループを形成するための信号を送信するステップと、上記子となる移動端末が上記親となる移動端末に上記グループに参加する意思を伝えるための信号を送信するステップと、上記親となる移動端末が上記子となる移動端末に上記グループに参加する許可を与える信号を送信するステップと、上記親となる移動端末が上記子となる移動端末に上記グループで使用するチャネルを割り当てるステップとを有することを特徴とする。
【００２８】
請求項１９記載の発明は、請求項１７記載の共同通信方法であって、上記通信ステップは、発信接続を行う発信接続ステップと、着信接続を行う着信接続ステップと、接続を切断する終話ステップとを有することを特徴とする。
【００２９】
請求項２０記載の発明は、請求項１７記載の共同通信方法であって、上記通信ステップは、着信接続を行う着信接続ステップと、発信接続を行う発信接続ステップと、接続を切断する終話ステップとを有することを特徴とする。
【００３０】
請求項２１記載の発明は、請求項１９又は２０記載の共同通信方法であって、上記発信接続ステップは、上記親となる移動端末から通信相手の情報を発信するステップと、上記親となる移動端末の認証を行うステップと、移動端末のグループが使用するチャネルを設定するステップと、上記移動端末のグループに上記通信相手を呼び出していることを知らせるステップと、上記親となる移動端末に上記通信相手からの応答を伝えるステップと、上記親となる移動端末がグループに属する移動端末に通信を行う許可を与えるステップとを有することを特徴とする。
【００３１】
請求項２２記載の発明は、請求項１９又は２０記載の共同通信方法であって、上記着信接続ステップは、上記親となる移動端末を探すステップと、上記親となる移動端末の認証を行うステップと、移動端末のグループが使用するチャネルを設定するステップと、上記親となる移動端末が通信相手の情報を受信するステップと、上記親となる移動端末の呼び出しを行っていることを知らせるステップと、上記親となる移動端末が応答するステップと、上記親となる移動端末がグループに属する移動端末に通信を行う許可を与えるステップとを有することを特徴とする。
【００３２】
請求項２３記載の発明は、請求項１９又は２０記載の共同通信方法であって、上記終話ステップは、上記親機が通信の切断を要求するステップと、通信の切断を確認するステップと、使用していたチャネルを閉じるステップと、チャネルを閉じたことを確認するステップとを有することを特徴とする。
【００３３】
請求項２４記載の発明は、請求項１７記載の共同通信方法であって、上記グループ解除ステップは、親となる移動端末がグループ内の移動端末にグループを解放するための信号を送信するステップと、子となる移動端末が上記親となる移動端末にグループ解放を完了した旨を伝える信号を送信するステップと、上記親となる移動端末が上記子となる移動端末にグループで使用したチャネルを切断するための信号を送信するステップと、上記子となる移動端末が上記親となる移動端末にグループで使用したチャネルを切断した旨を伝える信号を送信するステップとを有することを特徴とする。
【００３４】
請求項２５記載の発明である共同通信プログラムは、コンピュータに、複数の移動端末がグループを構成するグループ構成処理と、上記グループと基地局間及び上記グループ間において通信を行う通信処理と、上記グループを解散するグループ解除処理とを実行させることを特徴とする。
【００３５】
請求項２６記載の発明は、請求項２５記載の共同通信プログラムであって、上記グループ構成処理は、親となる移動端末が子となる移動端末にグループを形成するための信号を送信する処理と、上記子となる移動端末が上記親となる移動端末にグループに参加する意思を伝えるための信号を送信する処理と、上記親となる移動端末が上記子となる移動端末にグループに参加する許可を与える信号を送信する処理と、上記親となる移動端末が上記子となる移動端末にグループで使用するチャネルを割り当てる処理とを有することを特徴とする。
【００３６】
請求項２７記載の発明は、請求項２５記載の共同通信プログラムであって、上記通信処理は、発信接続を行う発信接続処理と、着信接続を行う着信接続処理と、接続を切断する終話処理とを有することを特徴とする。
【００３７】
請求項２８記載の発明は、請求項２７記載の共同通信プログラムであって、上記発信接続処理は、上記親となる移動端末から通信相手の情報を発信する処理と、上記親となる移動端末の認証を行う処理と、移動端末のグループが使用するチャネルを設定する処理と、上記移動端末のグループに上記通信相手を呼び出していることを知らせる処理と、上記親となる移動端末に上記通信相手からの応答を伝える処理と、上記親となる移動端末がグループに属する移動端末に通信を行う許可を与える処理とを有することを特徴とする。
【００３８】
請求項２９記載の発明は、請求項２７記載の共同通信プログラムであって、上記着信接続処理は、上記親となる移動端末を探す処理と、上記親となる移動端末の認証を行う処理と、移動端末のグループが使用するチャネルを設定する処理と、上記親となる移動端末が通信相手の情報を受信する処理と、上記親となる移動端末の呼び出しを行っていることを知らせる処理と、上記親となる移動端末が応答する処理と、上記親となる移動端末がグループに属する移動端末に通信を行う許可を与える処理とを有することを特徴とする。
【００３９】
請求項３０記載の発明は、請求項２７記載の共同通信プログラムであって、上記終話処理は、上記親機が通信の切断を要求する処理と、通信の切断を確認する処理と、使用していたチャネルを閉じる処理と、チャネルを閉じたことを確認する処理とを有することを特徴とする。
【００４０】
請求項３１記載の発明は、請求項２５記載の共同通信プログラムであって、上記グループ解除処理は、親となる移動端末がグループ内の移動端末にグループを解放するための信号を送信する処理と、子となる移動端末が上記親となる移動端末にグループ解放を完了した旨を伝える信号を送信する処理と、上記親となる移動端末が上記子となる移動端末にグループで使用したチャネルを切断するための信号を送信する処理と、上記子となる移動端末が上記親となる移動端末にグループで使用したチャネルを切断した旨を伝える信号を送信する処理とを有することを特徴とする。
【００４１】
【発明の実施の形態】
以下本発明の実施例を述べる。
＜システムの構成＞
図１に本発明の移動体通信システムの構成を示す。
本発明の移動体通信システムは、移動端末グループ１１、基地局１３、基地局制御装置１４、移動体通信交換機１５及び相手端末１６を有する。移動端末グループ１１と相手端末１６とはパケット１２と音声をやり取りする。
【００４２】
移動端末グループ１１は親機１１１と子機１１２とを有する、複数の移動端末からなる集合である。移動端末グループ１１内では、微弱電波を使用することで相互に音声及びパケット１１４を送受信する。
親機１１１はグループを代表してパケット１１４を基地局１３へ送信する機能と、基地局１３から親機に対して送信される音声及びパケット１２を受信する機能を有する。
子機１１２は上りでは、親機１１１に対して音声及びパケット１１４を送信する機能を持ち、下りでは、移動端末グループ１１中で無線ＣＨを共有して使用することで、基地局１３から親機１１１に対して送信される音声及びパケット１２を直接受信する機能を有する。
基地局１３は移動端末グループ１１の上位に位置し、各移動端末へ音声及びパケット１２を送信する機能と、移動端末グループ１１中の親機１１１から送信される音声及びパケット１２を受信する機能とを有する。
基地局制御装置１４は基地局１３を制御する。
移動体通信交換機１５は配下に基地局制御装置１４及び基地局１３とを有し、相手端末１６へ回線を接続する。
相手端末１６は移動端末グループ１１と音声及びパケット１２の送受信を行う。
【００４３】
＜システムの動作＞
移動端末（親機）１１１と基地局１３とは通常の電波で通信し、移動端末グループ内では微弱電波を使用する。
親機１１１と他の移動端末（子機）１１２は微弱電波で接続され、移動端末グループ１１を構成している。この移動端末グループ１１は擬似的に１台の移動端末と同等の機能を有し、１つの相手端末１６と通信を行う。
移動端末グループ１１から相手端末１６に対して音声及びパケット１２を送信する場合は、親機１１１が子機１１２からの音声及びパケット１１４を一旦集積し、それらを親機１１１にて生成された音声及びパケット１１４と親機１１１内部で合成する。そして、合成された音声及びパケット１２が親機１１１から基地局１３へ送信される。
逆に、相手端末１６から移動端末グループ１１に対して音声及びパケット１２が送信される場合は、親機１１１と子機１１２は基地局１３から直接音声及びパケット１２を受信することができる。
【００４４】
＜移動端末の構成＞
図２に、本発明の移動端末の構成を示す。
移動端末２１は、無線部２１０、音声合成部２１１、パケット合成部２１２、記憶部２１３、入力部２１４、出力部２１５、制御部２１６、処理部２１７及び電源部２１８を有する。
【００４５】
無線部２１０は基地局１３との接続用の電波２２と、グループ内の他の移動端末との接続用の微弱電波２３を放ち、音声及びパケットの送受信を行う。
音声合成部２１１は親機１１１と子機１１２の音声データを合成する。
パケット合成部２１２は親機１１１と子機１１２のパケットを合成する。
記憶部２１３は音声及びパケットデータを記憶する。
入力部２１４は端末の音声入力やパケット入力を行う。
出力部２１５は音声及びパケットを出力する。
処理部２１６は子機１１２からの音声及びパケットの分離や計算を行う。
制御部２１７は無線部２１０、音声合成部２１１、パケット合成部２１２、記憶部２１３、入力部２１４、出力部２１５及び処理部２１６ら全ての制御を行う。
電源部２１８は各構成部分への電力源である。
【００４６】
この移動端末２１は図１の親機１１１にも子機１１２にもなり得るものである。
【００４７】
＜グループ構成の手順＞
本発明の実施例の動作を、以下に説明する。
図３は、図１の移動端末（親機）１１１と移動端末（子機）１１２が移動端末グループ１１を構成する手順を示す。
初めに、図２で示す機能を有する任意の移動端末は、電話番号等の移動端末固有のＩＤで指定された周囲の移動端末に対して、“グルーピング開始”信号３５ａを送信する。この時に“グルーピング開始”信号３５ａを送信する移動端末は親機１１１となる。
尚移動端末固有のＩＤは、ユーザ同士が教え合うことで事前に入手することが必要である。
次に、“グルーピング開始”信号３５ａを受信した移動端末（子機）１１２は、
“グループ参加要求”信号３５ｂを親機１１１に対して返信する。
“グループ参加要求”信号３５ｂを受信した親機１１１は、子機１１２に対して“グループ参加許可”信号３５ｃを送信する。
そして親機１１１は、グループ内で音声及びパケットの送受信をするために“グループ用無線ＣＨアサイン”３５ｄを子機１１２に対して送信し、グループ構成処理が完了する。
【００４８】
＜発信接続の手順＞
図４は、図１の移動端末グループ１１から基地局１３への発信接続のシーケンスフローを示す。発信接続はグループ構成完了後に行う。
グループ構成が完了したグループ中の親機１１１は基地局１３に対して“呼設定、発信無線状態報告”信号４５ａを送信し、“呼設定受付”信号４５ｂを基地局１３より受信する。
基地局側１３は認証手順４５ｃを送った後、“無線ＣＨアサイン”信号４５ｄを親機１１１へ送信する。親機１１１は、受信した無線ＣＨを“下り用無線ＣＨアサイン”４５ｅとして子機１１２に転送する。これには、基地局１３から親機１１１に対して送信される音声及びパケットを、子機１１２でもモニター可能にする目的がある。
次に、グループ中の親機１１１と子機１１２は、指定されたＣＨを補足し、無線回線の設定を行う。そしてグループ中の親機１１１は基地局１３より“呼出”信号４５ｆを受信し、子機１１２は親機１１１より“呼出”信号４５ｇを受信する。
基地局１３は、発信側の移動端末（親機１１１と子機１１２）への呼出音の生成を指令する。着信側の端末等の応答により、発信側の移動端末（親機１１１と子機１１２）へ“応答”信号４５ｈが送信される。
親機１１１は基地局１３へ“応答確認”信号４５ｉを送信し、子機１１２へ“送受信許可”信号４５ｊを送信し、通信４５ｋが始まる。通信４５ｋで、親機１１１−子機１１２間双方向通信、親機１１１−基地局１３間双方向通信、及び基地局１３−子機１１２間片方向通信を行う。
【００４９】
＜着信接続の手順＞
図５は、図１の基地局側１３から移動端末グループ１１への着信接続のシーケンスフローを示す。着信接続はグループ構成完了後に行う。
基地局１３より“呼出”信号５５ａを親機１１１へ送信する。親機１１１は“呼出”信号５５ａを受信すると、“着信無線状態報告”信号５５ｂを基地局側１３へ送信する。
親機１１１と基地局１３との間で認証手順等５５ｃが実施された後、基地局１３は“無線ＣＨアサイン”信号５５ｄを親機１１１に対して送信する。親機１１１は、受信した無線ＣＨを“下り用無線ＣＨアサイン”信号５５ｅとして子機１１２へ転送する。
グループ中の親機１１１と子機１１２は、指定されたＣＨを補足し、無線回線の設定を行う。その後、基地局１３より親機１１１に“呼設定”信号５５ｆが送られ、親機１１１は着信音を生成した後、基地局側１３に“呼出”信号５５ｇを送信する。
親機１１１の応答により“応答”信号５５ｈが親機１１１から基地局１３へ送信され、基地局１３より“応答確認”５５ｉを親機１１１で受信すると、子機１１２へ“送受信許可”信号５５ｊを送信し、通信５５ｋが始まる。通信５５ｋで親機１１１−子機１１２間双方向通信、親機１１１−基地局１３間双方向通信、及び基地局１３−子機１１２間片方向通信を行う。
【００５０】
＜終話動作の手順＞
図６は終話動作のシーケンスフローを示す。親機１１１は、“切断”信号６５ｂを基地局１３へ送信する。基地局側１３は“解放”信号６５ｃを親機１１１へ送信する。親機１１１は基地局側１３へ“解放完了”信号６５ｄを送信し、基地局側１３から“無線ＣＨ切断”信号６５ｅを受信し、子機１１２へ“無線ＣＨ切断”信号６５ｆを送信する。親機１１１及び子機１１２は、基地局側１３へ“無線ＣＨ切断確認”信号６５ｇ、６５ｈを送信し、無線回線の切断を行う。
【００５１】
＜グルーピングの解除手順＞
図７は、図３にて構成したグルーピングの解除手順を示すシーケンスフローである。まず、親機１１１は子機１１２に対して“グルーピング解放”信号７５ａを送信する。次に、子機１１２から親機１１１へ“グルーピング解放完了”信号７５ｂが送信される。そして、親機１１１から子機１１２へ“グループ用無線ＣＨ切断”信号７５ｃが送信され、子機１１２から親機１１１へ“グループ用無線ＣＨ切断確認”信号７５ｄが送信され、グルーピングの解除が完了する。
【００５２】
＜親機からの送信＞
図８は、親機１１１において生成される音声及びパケットの流れ（上り）を示す。親機１１１で生成される音声及びパケットは、グループ中の全ての子機１１２へ微弱電波８３で転送され、当該の基地局１３へ電波８４で送信される。基地局１３で受信した音声及びパケットは、従来の移動体通信システム方式と同様に、上位の基地局制御装置へ転送される。
【００５３】
＜子機からの送信＞
図９は、子機１１２において生成される音声及びパケットの流れ（上り）を示す。子機１１２で生成される音声及びパケットは、グループ中の全ての移動端末（１１１及び９３）へ微弱電波９４で転送される。親機１１１は、子機１１２から転送される音声及びパケットを受信し、親機１１１で生成される音声及びパケットと合成し、電波９５で基地局１３へ送信する。基地局１３で受信された音声及びパケットは、従来の移動体通信システム方式と同様に、上位の基地局制御装置１４へ転送される。
【００５４】
＜グループにおける音声及びパケットの処理手順＞
図１０は、図８及び図９における、グループを形成する親機と子機で生成される音声及びパケットの処理手順を示す。まず、グループ中の親機と子機で音声及びパケットが生成される（ステップ１１０及びステップ１１１）。親機で生成された音声及びパケットはグループ中の全ての子機へ転送され（ステップ１１２）、子機で生成された音声及びパケットはグループ中の全移動端末へ転送される（ステップ１１３）。親機で受信した子機からの音声とパケットは分離され（ステップ１１４）、親機で生成された音声と子機から受信した音声の合成が行われる（ステップ１１５）。同時に、親機で生成されたデータと子機から受信したデータの合成が行われる（ステップ１１６）。親機は合成音声と合成データを基地局へ送信する（ステップ１１７）。
【００５５】
＜基地局から移動端末へ送信される音声及びパケットの流れ＞
図１１は、基地局側１３からグループ全体１１へ送信される音声及びパケットの流れ（下り）１１ｄを示す。下りでは、グループ１１中の全ての移動端末（１１１及び１１２）においてＣＨが共有化されているので、基地局１３から親機１１１に対して送信される音声及びパケット１１ｄをグループ１１中の全端末（１１１及び１１２）は直接受信することができる。
【００５６】
【発明の効果】
以上説明したように本発明によれば、親機となる移動端末が基地局との通信インターフェースとなることで、複数の移動端末が相手端末に接続する場合、基地局より上位の装置において、１移動端末分の無線リソース（制御ＣＨ）を確保するだけで通信を可能となる。
【００５７】
更に、複数端末が構成するグループに対して相手端末から送られる音声及びパケットの無線リソース（通信用ＣＨ）は、１端末分で済むことになる。
【図面の簡単な説明】
【図１】本発明の移動体通信システムの構成を示す図である。
【図２】本発明の移動端末の構成を示すブロック図である。
【図３】グループを構成するときに、親となる移動端末と子となる移動端末との間で行われる通信の手順を示すシーケンスフローである。
【図４】移動端末のグループから基地局への発信接続の手順を示すシーケンスフローである。
【図５】基地局から移動端末のグループへの着信接続の手順を示すシーケンスフローである。
【図６】終話動作の手順を示すシーケンスフローである。
【図７】移動端末のグループを解散する手順を示すシーケンスフローである。
【図８】親機で生成される音声及びパケットの流れを示す図である。
【図９】子機で生成される音声及びパケットの流れを示す図である。
【図１０】親機及び子機において生成される音声及びパケットの処理手順を示すフローチャートである。
【図１１】基地局から移動端末のグループへ送信される音声及びパケットの流れを示す図である。
【図１２】Ｗ−ＣＤＭＡ方式におけるプロトコル構造を示す図である。
【図１３】従来の回線接続手順を示すシーケンスフローである。
【符号の説明】
１１  複数の移動端末からなるグループ
１１１  親機
１１２  子機
１３  基地局
１４  基地局制御装置
１５  移動体通信交換機
２１  移動端末
２１０  無線部
２１１  音声合成部
２１２  パケット合成部
２１３  記憶部
２１４  入力部
２１５  出力部
２１６  処理部
２１７  制御部
２１８  電源部
【図１】
2004179981.tif 000003
【図２】
2004179981.tif 000004
【図３】
2004179981.tif 000005
【図４】
2004179981.tif 000006
【図５】
2004179981.tif 000007
【図６】
2004179981.tif 000008
【図７】
2004179981.tif 000009
【図８】
2004179981.tif 000010
【図９】
2004179981.tif 000011
【図１０】
2004179981.tif 000012
【図１１】
2004179981.tif 000013
【図１２】
2004179981.tif 000014
【図１３】
2004179981.tif 000015